(57)【特許請求の範囲】
【請求項１】
第１電極と第２電極を含むサステイン電極対を有するプラズマディスプレーパネルにおいて、
前記第１電極の幅の方向に前記第１電極から長く延びる第１突出部と、
前記第１突出部の両側から前記第１電極の長さの方向に前記第１突出部から長く延びる複数の第２突出部と、
前記第２電極の幅の方向に前記第２電極から長く延びる第３突出部と、
前記第３突出部の両側から前記第２電極の長さの方向に前記第３突出部から長く延びる複数の第４突出部と、
が設けられ、
前記第２突出部と前記第４突出部のそれぞれは交互に配置され、
前記第２電極と前記第２突出部との間の間隔、前記第２突出部と前記第４突出部との間の間隔、および前記第４突出部と前記第１電極との間の間隔が等しく、
前記サステイン電極対の間に維持電圧が印加されると、前記第２電極と前記第２突出部との間、前記第２突出部と前記第４突出部との間、および前記第４突出部と前記第１電極との間で同時に放電が起きる
ことを特徴とするプラズマディスプレーパネルの電極構造。
【請求項２】
前記プラズマディスプレーパネルの放電セルを区画するための隔壁を更に備えることを特徴とする請求項１記載のプラズマディスプレーパネルの電極構造。
【請求項３】
前記第１及び第３突出部は前記隔壁と重畳することを特徴とする請求項２記載のプラズマディスプレーパネルの電極構造。
【請求項４】
前記突出部は透明電導性の材料で形成されることを特徴とする請求項１記載のプラズマディスプレーパネルの電極構造。
【請求項５】
前記突出部は金属で形成されることを特徴とする請求項１記載のプラズマディスプレーパネルの電極構造。
【請求項６】
前記第１及び第３突出部は金属で形成され、
前記第２及び第４突出部は透明電導性の材料で形成されることを特徴とする請求項１記載のプラズマディスプレーパネルの電極構造。
【請求項７】
前記サステイン電極対は金属で形成されることを特徴とする請求項１記載のプラズマディスプレーパネルの電極構造。
【発明の詳細な説明】
【０００１】
【発明の属する技術分野】
本発明はプラズマディスプレーパネルに関し、特に輝度を向上させることができるプラズマディスプレーパネルの電極構造と維持電極の駆動方法に関する。
【０００２】
【従来の技術】
一般的に、プラズマディスプレーパネル（ＰＤＰ）は、セル内部の気体放電現象を利用して画像を表示する発光型の表示素子である。このＰＤＰは液晶表示素子（ＬＣＤ）のように各セル毎にアクティブ素子を形成する必要がない。このためにＰＤＰは製造工程が簡単で大型化に有利である。
【０００３】
このようなＰＤＰはマトリックス形態で配列された多数の放電セルを有する。放電セルは放電を維持させるための維持電極ラインと放電されるセルを選択するためのアドレス電極ラインの交点それぞれに設けられるようになる。
【０００４】
ＰＤＰは壁電荷を蓄積するための誘電体層が放電セル内に存在するか否かによって直流型及び交流型のパネルに大別される。
【０００５】
図１及び図２を参照すると、交流型の３電極ＰＤＰの一つのセルは維持電極対（１２Ａ、１２Ｂ）が形成された前パネル（１０）と、アドレス電極（２０）が形成された後パネルとを具備する。前パネル（１０）と後パネル（１８）は隔壁（２４）を間に置いて平行に離隔されて、フリット・ガラス（Frit Glass）によって密封されている。前パネル（１０）、後パネル（１８）及び隔壁（２４）によって形成された放電空間にはＮｅ−Ｘｅ、Ｈｅ−Ｘｅなどの混合ガスが注入される。維持電極（１２Ａ、１２Ｂ）は一つのプラズマ放電チャンネルに二つが一対として配置されている。維持電極対（１２Ａ、１２Ｂ）の中のいずれか一つはアドレス期間に供給されるスキャンパルスに応答してアドレス電極（２０）と共に対向放電を起こすとともに、維持期間に供給される維持パルスに応答して隣接した他方の維持電極と面放電を起こす走査電極として利用される。また、この走査電極として利用される維持電極（１２Ａまたは１２Ｂ）と対とされた他方の維持電極（１２Ａまたは１２Ｂ）は維持パルスが共通に供給される共通維持電極として利用される。
【０００６】
維持電極対（１２Ａ、１２Ｂ）それぞれは、周知のように透明電極（３０Ａ、３０Ｂ）と金属電極（２８Ａ、２８Ｂ）の二重構造である。透明電極（３０Ａ、３０Ｂ）は開口率の低下を防止するために約３００μｍの電極幅にＩＴＯインジウム鉛酸化物（Indium Tin Oxide：を前パネル（１０）上に蒸着することで形成される。金属電極（２８Ａ、２８Ｂ）は銀（Ａｇ）かクロム（Ｃｒ）−銅（Ｃｕ）−クロム（Ｃｒ）の３層構造として前パネル（１０）上に蒸着される。この金属電極（２８Ａ、２８Ｂ）は透明電極（３０Ａ、３０Ｂ）による電圧降下を減らす役割を果たす。
【０００７】
維持電極対（１２Ａ、１２Ｂ）が形成された前パネル（１０）上には誘電層（１４）と保護膜（１６）が積層される。誘電層（１４）はプラズマ放電電流を制限すると共に放電時の壁電荷を蓄積するために設けられる。保護膜（１６）はプラズマ放電時に発生されたスパタリングによる誘電層（１４）の損傷を防止して二次電子の放出効率を高めるためのものである。この保護膜（１６）は通常酸化マグネシウム（ＭｇＯ）である。後パネル（１８）にはアドレス電極（２０）を覆う誘電体厚膜（２６）が形成されて、放電空間を分割するための隔壁（２４）が垂直に延びている。後パネル（１８）と隔壁（２４）の表面には真空紫外線によって励起されて可視光を発生する蛍光体（２２）が塗布されている。
【０００８】
このようなＰＤＰのセル（１）は、図３に図示されたように、パネル（３０）上にマトリックス形態に配置される。セル（１）それぞれには走査／維持電極ライン（Ｓ１〜Ｓｍ）、共通維持電極ライン（Ｃ１〜Ｃｍ）が配置され、さらにアドレス電極ライン（Ｄ１〜Ｄｎ）がこれらに交差するように配置されている。走査／維持電極ライン（Ｓ１〜Ｓｍ）と共通維持電極ライン（Ｃ１〜Ｃｍ）は図１での維持電極対（１２Ａ、１２Ｂ）である。そして、アドレス電極ライン（Ｄ１〜Ｄｎ）はドレス電極（２０）である。
【０００９】
このようなＰＤＰは一つのフレームが多数のサブフィルドに構成され、そのサブフィルドの組み合わせによってグレースケールが実現される。例えば、２５６グレースケールを実現しようとする場合には一つのフレーム期間は八つのサブフィルドに時分割される。共に、八つのサブフィールドそれぞれはリセット期間、アドレス期間及び維持期間に更に分かれる。リセット期間には全画面が初期化される。アドレス期間にはデータが表示されるセルがライティング放電によって選択される。選択されたセルは維持期間に放電が維持される。維持期間はサブフィールドそれぞれの加重値によって２n に該当する期間ずつ長くなる。詳細には、第１〜第８サブフィールドそれぞれに含まれた維持期間は輝度の相対比によって２0、２1、２2、２3、２4、２5、２6、２7の比率で長くなる。このために、維持期間に発生される維持パルスの数もサブフィルドによって、２0、２1、２2、２3、２4、２5、２6、２7と増加する。これらサブフィールドの組み合わせによって表示映像の輝度及び色度が決定される。
【００１０】
ＰＤＰの発光過程を以下に詳細に説明する。まず、リセット期間に起きるリセット放電によって全画面のセル内には壁電荷が均一に蓄積される。次に、走査／維持電極ライン（Ｓ１〜Ｓｍ）とアドレス電極ライン（Ｄ１〜Ｄｎ）に供給されるアドレス放電電圧によって選択されたセルにライティング放電が起きる。続いて、走査／維持電極ライン（Ｓ１〜Ｓｍ）と共通維持電極ライン（Ｃ１〜Ｃｍ）に交番的に維持パルスが供給されるとアドレス期間に選択されたセルの放電が上記加重値に応じた時間だけ維持される。
【００１１】
セル内でプラズマ放電が起きると、セル内の放電ガスの中の微量の電子が加速され、中性粒子と連続的に衝突する。電子なだれによってセル内の放電ガスは速い速度で電子とイオンに電離されてプラズマ状態になると同時に真空紫外線が発生される。この真空紫外線は蛍光体（２２）を励起させ蛍光体（２２）に可視光を発生させる。
【００１２】
しかし従来のＰＤＰはその放電構造上の輝度を満足するほどの水準まで向上させるのには限界があった。すなわち、ＰＤＰの維持放電時には図４のように走査／維持電極ライン（Ｓ１〜Ｓｍ）と共通維持電極ライン（Ｃ１〜Ｃｍ）の間の特定の面で始まって次第にセル全体に拡散する。このような放電構造は放電が走査／維持電極ライン（Ｓ１〜Ｓｍ）と共通維持電極ライン（Ｃ１〜Ｃｍ）の間の特定の面だけに集中的に起きるために輝度が低くなる。
【００１３】
【発明が解決しようとする課題】
従って、本発明の目的は輝度をより向上させることができるＰＤＰの電極構造及び維持電極駆動方法を提供することである。
【００１４】
【課題を解決するための手段】
前記目的を達成するために、本発明によるＰＤＰの電極構造は、セル内で維持放電が少なくとも二箇所以上で発生するように屈折された屈折電極を具備する。
本発明によるＰＤＰの維持電極駆動方法は維持電極対それぞれに屈折電極を形成してセル内の少なくとも二箇所以上で維持放電を生じさせることを含む。
【００１５】
【作用】
本発明によるＰＤＰの電極構造及び維持電極駆動方法は維持電極間に放電が複数の箇所で起きることができるように維持電極それぞれを屈折した構造に形成したので、維持放電がセル内の多数の箇所で同時に起きることができる。
【００１６】
【発明の実施の形態】
以下、本発明の実施形態を添付した図５〜図１１Ｃを参照して説明する。
図５及び図６に本発明の第１実施形態によるＰＤＰの電極構造を示す。図５及び図６において、図１に図示されたＰＤＰと同一の構造及び機能を有する構成要素などに対して同一の図面符号を付けて詳細な説明を省略する。
【００１７】
図５を参照すると、本実施形態によるＰＤＰは、維持電極対（５０Ａ、５０Ｂ）それぞれに接続された屈折電極（５４Ａ、５４Ｂ）が形成された前パネル（４０）と、アドレス電極（２０）が形成された後パネル（１８）とを具備する。維持電極対（５０Ａ、５０Ｂ）の中のいずれか一つはアドレス期間に供給されるスキャンパルスに応答してアドレス電極（２０）と共に対向放電を起こし、維持期間に供給される維持パルスに応答して対の他方の屈折電極と面放電を起こす走査電極として利用される。走査電極でない他方の維持電極（５０Ｂ、５０Ａ）は維持パルスが共通に供給される共通維持電極として利用される。これらの維持電極対は従来同様直線上に平行に配置されている。屈折電極（５４Ａ、５４Ｂ）は、維持電極（５０Ａ、５０Ｂ）に供給される電圧によって相互間に放電が生じる際に、セル内の多数の箇所で放電を生じさせる。この維持電極（５０Ａ、５０Ｂ）は、銀（Ａｇ）かクロム（Ｃｒ）−銅（Ｃｕ）−クロム（Ｃｒ）の３層の構造で形成される。
【００１８】
屈折電極（５４Ａ、５４Ｂ）はＴ字型にパタニングされた透明電極である。透明電極の材料としては蛍光体（２２）から発光される光に対する透過度が高くて電気の電導度が高い透明導電性の電極物質、例えば、ＩＴＯなどが選択される。また、屈折電極（５４Ａ、５４Ｂ）は金属電極としてもよい。屈折電極（５４Ａ、５４Ｂ）は維持電極対（５０Ａ、５０Ｂ）それぞれに一端が連結された第１突出部（５２Ａ、５２Ｃ）と、第１突出部（５２Ａ、５２Ｃ）の他端で維持電極（５０Ａ、５０Ｂ）の長さの方向に配置される第２突出部（５２Ｂ、５２Ｄ）を含む。図６に明確に示すように、第１突出部（５２Ａ、５２Ｃ）は隔壁（２４）とオーバラップする位置、すなわちセル間の境界部に位置する。また、第２突出部（５２Ｂ、５２Ｄ）は隔壁（２４）の両側、すなわち隣接する双方のセルに突出している。双方の隔壁からセル内に延びだした第２突出部（５２Ｂ、５２Ｄ）はオーバラップせず、互いに平行に延びだしている。したがって、一つのセル内に２本の突出部が平行にある状態となっている。このような屈折電極（５４Ａ、５４Ｂ）と維持電極対（５０Ａ、５０Ｂ）が形成された前パネル（４０）上には図示しない誘電層と保護膜が図１のように積層される。
【００１９】
このような屈折電極（５４Ａ、５４Ｂ）の構造において、図６に示したように維持電極（５０Ａ、５０Ｂ）と第２突出部（５２Ｂ、５２Ｄ）間の間隔（ａ、ｃ）と平行な双方の第２突出部（５２Ｂ、５２Ｄ）相互間の間隔（ｂ）は等間隔（ａ＝ｂ＝ｃ）である。従って、維持電極対（５０Ａ、５０Ｂ）の間に維持電圧が印加されると、双方の維持電極（５０Ａ、５０Ｂ）と双方の第２突出部（５２Ｂ、５２Ｄ）の間に放電が起き、さらに、第２突出部（５２Ｂ、５２Ｄ）相互間にも放電が起きる。それらの放電が次第にセル全体に拡散される。すなわち、維持パルスが供給されるたびセル内の三つの箇所で同時に維持放電が始まる。このように維持放電がセル内で同時にいろんな場所で発生すると、その分の放電開示箇所での発光輝度が高くなる。その上、発光効率と放電空間の活用度が高くなる。
【００２０】
電極間の間隔（ａ、ｂ、ｃ）が同一でないと、これらの中の一番間隔が短い電極の間で放電が先に起きた後、その後、相対的に電極間の間隔が大きい電極の間で放電が起きる。
【００２１】
図７、図８は本発明の第２実施形態によるＰＤＰの電極構造を示している。図７及び図８においても、図１に図示されたＰＤＰと同一の構造及び機能を有する構成要素などは同一の図面符号を付けて詳細な説明を省略する。
【００２２】
図７を参照すると、本実施形態によるＰＤＰは、維持電極（５６Ａ、５６Ｃ）自体に所定の位置、具体的には隔壁の位置、に互いに接近する方向に延びた突出部（５６Ｂ、５６Ｄ）を有する形状とされている。維持電極対の一方からと他方から交互に延びるように形成させている。その突出部（５６Ｂ、５６Ｄ）の先端に透明電極（５８Ａ、５８Ｂ）が維持電極（５６Ａ、５６Ｃ）の長さの方向に形成されている。維持電極（５６Ａ、５６Ｃ）の突出部（５６Ｂ、５６Ｄ）は、図５に図示された透明電極（５４Ａ、５４Ｂ）の第１突出部（５２Ａ、５２Ｃ）による電圧降下量を減らすと共に透明電極（５８Ａ、５８Ｂ）に電圧信号を供給する役割を果たしている。突出部（５６Ｂ、５６Ｄ）の幅は図示のように隔壁（２４）の幅より狭くして、蛍光体（２２）から発光されて表示面の側に進行する可視光を干渉しないようにすることが望ましい。このような本維持電極（５６Ａ、５６Ｂ）は銀（Ａｇ）か、クロム（Ｃｒ）−銅（Ｃｕ）−クロム（Ｃｒ）の３層の構造で形成される。透明電極（５４Ａ、５４Ｂ）は透明導電性の電極物質、例えば、ＩＴＯかＩＺＯとして維持電極（５６Ａ、５６Ｃ）の長さの方向に形成されて維持放電を同時にセル内の多数の箇所で発生させる。この突出部（５６Ｂ、５６Ｄ）と透明電極（５８Ａ、５８Ｂ）とで屈折電極を構成している。
【００２３】
図８に示したように維持電極対（５６Ａ、５６Ｃ）の突出部（５６Ｂ、５６Ｄ）及び透明電極（５８Ａ、５８Ｂ）間の間隔と、透明電極（５８Ａ、５８Ｂ）の相互間の間隔（ｂ）は等間隔（ａ＝ｂ＝ｃ）である。従って、維持電極対（５６Ａ、５６Ｃ）に維持電圧を印加すると、突出部（５６Ｂ、５６Ｄ）と透明電極（５８Ａ、５８Ｂ）の間と、透明電極（５８Ａ、５８Ｂ）間の間で同時に放電が始まる。
【００２４】
図９Ａ〜図１１Ｃに本発明のさらに異なる実施形態によるＰＤＰの電極構造を示す。図９Ａ〜図１１Ｃにおいても、図１に図示されたＰＤＰと同一の構造及び機能を有する構成要素などに対しては同一の図面符号を付けて詳細な説明を省略する。
【００２５】
図９Ａ及び図９Ｂでは、屈折電極（１０４Ａ、１０４Ｂ）の維持電極（１００Ａ、１００Ｂ）に平行な第２突出部（１０２Ｂ、１０２Ｄ）を第１実施形態のように１本だけでなく、複数形成させた実施形態である。屈折電極（１０４Ａ、１０４Ｂ）は透明導電性の電極物質か金属で形成される。維持電極（１００Ａ、１００Ｂ）は金属で形成されて屈折電極（１０４Ａ、１０４Ｂ）の第１突出部（１０２Ａ、１０２Ｃ）と連結される。屈折電極（１０４Ａ、１０４Ｂ）は第１突出部（１０２Ａ、１０２Ｃ）が維持電極（１００Ａ、１００Ｂ）の相手側に延び、その先端部と途中とに多数の第２突出部（１０２Ｂ、１０２Ｄ）が維持電極対（１００Ａ、１００Ｂ）の長さの方向に延びるようにパタニングされる。第１突出部（１０２Ａ、１０２Ｃ）は隔壁（２４）とオーバラップする位置、すなわちセル間の境界部に位置する。このような屈折電極（１０４Ａ、１０４Ｂ）と維持電極対（１００Ａ、１００Ｂ）が形成された前パネル（４０）上には図示しない誘電層と保護膜が図１のように積層される。
【００２６】
このような屈折電極（１０４Ａ、１０４Ｂ）の構造において、維持電極対（１００Ａ、１００Ｂ）と第２突出部（１０２Ｂ、１０２Ｄ）間の間隔と、第２突出部（１０２Ｂ、１０２Ｄ）の相互間の間隔は等間隔である。従って、維持電極対（１００Ａ、１００Ｂ）に維持電圧が印加されると、維持電極対（１００Ａ、１００Ｂ）と第２突出部（１０２Ｂ、１０２Ｄ）の間に放電が起き、同時に、第２突出部（１０２Ｂ、１０２Ｄ）の相互間に放電が起き、セル全体に拡散される。すなわち、維持パルスが供給されるたびにセル内の数カ所で同時に維持放電が始まる。また、維持電極対（１００Ａ、１００Ｂ）と第２突出部（１０２Ｂ、１０２Ｄ）の相互間の間隔は互いに異なる間隔に形成されることもある。この場合、電極間の間隔が狭い電極の間で放電が開始し、その後に電極間の間隔が相対的に広い電極の間に放電が起きる。
【００２７】
ところで、本発明の第１実施形態では低い電圧でも放電がより安定に生じるようにするには、図５に図示された屈折電極（５４Ａ、５４Ｂ）の第２突出部（５２Ｂ、５２Ｄ）相互間の間隔か第２突出部（５２Ｂ、５２Ｄ）と維持電極対（５０Ａ、５０Ｂ）の間隔は狭く調整しなければいけない。このように電極間の間隔を狭くするためには第２突出部（５２Ｂ、５２Ｄ）の幅を大きくしなければならない。しかし、第２突出部（５２Ｂ、５２Ｄ）が大きくなるとその分開口率が下がってくる。これに比べて、図９Ａ及び図９Ｂに図示された屈折電極（１０４Ａ、１０４Ｂ）は第２突出部（１０２Ｂ、１０２Ｄ）の数が多いために間隔の調整が易しくなるので第２突出部（１０２Ｂ、１０２Ｄ）を大きくする必要がない。
【００２８】
図１０を参照すると、本発明の第４実施形態によるＰＤＰは、第２突出部（１１２Ｂ、１１２Ｄ）を第１突出部（１１２Ａ、１１２Ｃ）から一定の角度で斜めに延びるように形成させた多数の屈折電極（１１４Ａ、１１４Ｂ）を具備する。屈折電極（１１４Ａ、１１４Ｂ）は導電性の電極物質か金属で形成される。維持電極対（１１０Ａ、１１０Ｂ）は金属で形成されて屈折電極（１１４Ａ、１１４Ｂ）の第１突出部（１１２Ａ、１１２Ｃ）と連結される。屈折電極（１１４Ａ、１１４Ｂ）は、第１突出部（１１２Ａ、１１２Ｃ）がそれぞれの維持電極（１１０Ａ、１１０Ｂ）から相手側へ延び、その先端と途中に多数の第２突出部（１１２Ｂ、１１２Ｄ）が所定の角度で傾斜するようにパタニングされる。第１突出部（１１２Ａ、１１２Ｃ）は隔壁（２４）とオーバラップする位置、すなわちセル間の境界部に位置する。このような屈折電極（１１４Ａ、１１４Ｂ）と維持電極対（１１０Ａ、１１０Ｂ）が形成された前パネル（４０）上には図示しない誘電層と保護膜が積層される。
【００２９】
このような屈折電極（１１４Ａ、１１４Ｂ）の構造において、第２突出部（１１２Ｂ、１１２Ｄ）相互間の間隔は等間隔である。従って、維持電極対（１１０Ａ、１１０Ｂ）に維持電圧が印加されると、第２突出部（１１２Ｂ、１１２Ｄ）の相互間に放電が起き、順次セル全体に拡散する。このような屈折電極（１１４Ａ、１１４Ｂ）は第２突出部（１１２Ｂ、１１２Ｄ）の数が多いために電極間の間隔が狭くなるので電極間の間隔の調整が容易であり、第２突出部（１１２Ｂ、１１２Ｄ）を大きくする必要がない。また、第２突出部（１１２Ｂ、１１２Ｄ）相互間の間隔は互いに異なる間隔に形成することができる。
【００３０】
このような電極構造は、第２突出部（１１２Ｂ、１１２Ｄ）が所定の角度で傾斜しているので前の実施形態のように水平方向に延びる第２突出部に比べてその長さが長くなる。従って、第２突出部（１１２Ｂ、１１２Ｄ）間の放電面積が大きくなる。
【００３１】
図１１Ａ〜図１１Ｃを参照すると、本発明の第５実施形態によるＰＤＰの屈折電極（１２４Ａ、１２４Ｂ）が示されている。これは、維持電極（１２０Ａ、１２０Ｂ）から延びる第１突出部（１２２Ａ、１２４Ｄ）と、この第１突出部（１２２Ａ、１２４Ｄ）から一定の角度で傾斜して延びる多数の第２突出部（１２２Ｂ、１２２Ｅ）と、維持電極（１２０Ａ、１２０Ｂ）に平行に向き合う第３突出部（１２２Ｃ、１２２Ｆ）とを具備する。屈折電極（１２４Ａ、１２４Ｂ）は透明導電性の電極物質か金属で形成される。維持電極対（１２０Ａ、１２０Ｂ）は金属で形成されて屈折電極（１２４Ａ、１２４Ｂ）の第１突出部（１２２Ａ、１２４Ｄ）と連結される。第１突出部（１２２Ａ、１２４Ｄ）は隔壁（２４）とオーバラップする位置、すなわちセル間の境界部に位置する。このような屈折電極（１２４Ａ、１２４Ｂ）と維持電極（１１０Ａ、１１０Ｂ）が形成された前パネル（４０）上には図示しない誘電層と保護膜が積層される。
【００３２】
このような屈折電極（１２４Ａ、１２４Ｂ）の構造において、第２突出部（１２２Ｂ、１２２Ｅ）相互間の間隔と、維持電極（１２０Ａ、１２０Ｂ）と第３突出部（１２２Ｃ、１２２Ｆ）の間の間隔は等間隔である。従って、維持電極対（１２０Ａ、１２０Ｂ）に維持電圧が印加されると、第２突出部（１２２Ｂ、１２２Ｅ）相互間に放電が起きると同時に、維持電極対（１２０Ａ、１２０Ｂ）と第３突出部（１２２Ｃ、１２２Ｆ）の間に放電が起き、順次セル全体に拡散する。第２突出部（１２２Ｂ、１２２Ｅ）の相互間の間隔と、維持電極対（１２０Ａ、１２０Ｂ）と第３突出部（１２２Ｃ、１２２Ｆ）の間の間隔は異なることもありうる。
【００３３】
【発明の効果】
上述したように、本発明によるＰＤＰの電極構造は維持電極間に放電を多数の箇所で生じさせることができるように維持電極それぞれを屈折構造に形成している。したがって、この屈折構造で維持放電させると、維持放電はセル内の多数の箇所で同時に起きる。その結果、本発明によるＰＤＰの電極構造及びその構造による維持電極駆動によれば輝度が高くなる。更に、本発明によるＰＤＰの電極構造によれば、維持電極対はそれに屈曲電極を形成させるので、金属電極のみで形成させることができ、従来の長く延びた維持電極対の透明電極による電圧降下の量を減らすことができ、消費電力を低くすることができる。
【図面の簡単な説明】
【図１】  従来の交流型３電極のＰＤＰの一つのセルを表す写視図である。
【図２】  図１に図示されたセルの断面図である。
【図３】  図１に図示されたセルの配置を表す平面図である。
【図４】  図１に図示されたＰＤＰで二つのラインの維持放電を表す平面図である。
【図５】  本発明の第１実施形態によるＰＤＰの一つのセルを表す写視図である。
【図６】  図５に図示されたＰＤＰの平面図である。
【図７】  本発明の第２実施形態によるＰＤＰの一つのセルを表す写視図である。
【図８】  図７図示されたＰＤＰの平面図である。
【図９Ａ】  は本発明の第３実施形態によるＰＤＰを表す平面図である。
【図９Ｂ】  は本発明の第３実施形態によるＰＤＰを表す平面図である。
【図１０】  本発明の第４実施形態によるＰＤＰを表す平面図である。
【図１１Ａ】〜【図１１Ｃ】  本発明の第５実施形態によるＰＤＰを表す平面図である。
【符号の説明】
１０、４０：前パネル
１４、２６：誘電層
１６：保護膜
１８：後パネル
２０：アドレス電極
２２：蛍光体
５４Ａ、５４Ｂ、１０４Ａ、１０４Ｂ、１１４Ａ、１１４Ｂ、１２４Ａ、
１２４Ｂ：屈折電極
１２Ａ、１２Ｂ、５０Ａ、５０Ｂ、５６Ａ、５６Ｃ、１００Ａ、１００Ｂ
、１１０Ａ、１１０Ｂ、１２０Ａ、１２０Ｂ：維持電極対
２４：隔壁
【図１】
0004713717.tif 000002
【図２】
0004713717.tif 000003
【図３】
0004713717.tif 000004
【図４】
0004713717.tif 000005
【図５】
0004713717.tif 000006
【図６】
0004713717.tif 000007
【図７】
0004713717.tif 000008
【図８】
0004713717.tif 000009
【図９Ａ】
0004713717.tif 000010
【図９Ｂ】
0004713717.tif 000011
【図１０】
0004713717.tif 000012
【図１１Ａ】
0004713717.tif 000013
【図１１Ｂ】
0004713717.tif 000014
【図１１Ｃ】
0004713717.tif 000015